(57)【要約】【課題】蓄電池の長期間に亘る屋外設置が、高い信頼性のもと、低コストで行える据え置き型蓄電装置を提供する。【解決手段】据え置き型蓄電装置１００は、複数の蓄電池１０１が内部に配された筐体１１０と、筐体１００内の換気冷却に用い、正逆運転が可能な換気装置１０３と、筐体１１０に形成され、換気装置１０３の正運転によって筐体１１０への空気流入に用いる吸気口１０４と、筐体１１０に形成され、換気装置１０３の正運転によって筐体１１０からの空気流出に用いる排気口１０６と、空気流入の流路１０に配されて、空気の通過を許し、かつ、電力を印加できる給電機構１０８と、を備える。【選択図】図１
2011249081.tif 000002
【特許請求の範囲】
【請求項１】
複数の蓄電池が内部に配された筐体と、
前記筐体内の換気冷却に用い、正逆運転が可能な換気装置と、
前記筐体に形成され、前記換気装置の正運転によって前記筐体への空気流入に用いる吸気口と、
前記筐体に形成され、前記換気装置の正運転によって前記筐体からの空気流出に用いる排気口と、
前記空気流入の流路に配されて、空気の通過を許し、かつ、電力を印加できる給電機構と、
を備える据え置き型蓄電装置。
【請求項２】
前記給電機構は、電撃柵または電撃網を備える請求項１に記載の据え置き型蓄電装置。
【請求項３】
前記給電機構において通電が行われた後、前記換気装置の逆運転により、前記吸気口において前記空気が排気される請求項１または２に記載の据え置き型蓄電装置。
【請求項４】
前記換気装置が逆運転する際に、前記排気口を開閉可能な蓋によって前記排気口が閉じられる請求項３に記載の据え置き型蓄電装置。
【請求項５】
前記筐体内の温度を検知する温度検知器を備え、
前記温度検知器による検知温度に応じて、前記換気装置の出力が調整される請求項１ないし４のいずれかに記載の据え置き型蓄電装置。
【請求項６】
前記検知温度が設定温度以下の場合に、前記吸気口および前記排気口を開閉可能な蓋によって前記吸気口および前記排気口の両方が閉じられる請求項５に記載の据え置き型蓄電装置。
【請求項７】
前記電撃柵または前記電撃網は、隣接する一対の導電体を備え、
前記一対の導電体の間隔が、０．２ｍｍ以上、２ｍｍ以下である請求項２ないし４に記載の据え置き型蓄電装置。
【発明の詳細な説明】
【技術分野】
【０００１】
本発明は、複数の蓄電池を備える据え置き型蓄電装置に関する。
【背景技術】
【０００２】
二酸化酸素ガスの放出量抑制の推進において、発電所の電力負荷の平準化や出力が不安定な自然エネルギ発電（例えば、太陽光発電）の利用が望まれている。
【０００３】
このような技術の実用化に不可欠な手段として、電力を蓄えることができる蓄電池内蔵の据え置き型蓄電装置（以下、「蓄電装置」と略す場合がある）がある。
【０００４】
蓄電装置は、その用途によって蓄電量に多少の差異があるが、少なくとも数キロワット時以上の大きなエネルギを、長期間に亘り安定に蓄えることが必要となる。よって、蓄電装置には、長期に亘る高度の信頼性が求められている。
【０００５】
ところが、蓄電装置は、一般的に、屋外に設置されているので、蓄電装置内に、様々な生物が侵入する場合がある。すると、短期的には生物との接触により、長期的には生物からの排出物により、蓄電装置の構成材料の腐食や蓄電装置の短絡が生じ、その蓄電機能が喪失する恐れがある。
【０００６】
また、蓄電装置の蓄電池の性能が温度に敏感なので、蓄電池の内部抵抗による充放電時の発熱を上手く利用して、蓄電装置の内部が適温に管理されている。つまり、蓄電装置は、特に冬場は、外気温度と比較して暖かく、小動物や昆虫が蓄電装置内に集まり易い。そして、このような事実が、上記蓄電装置の問題を更に悪化させる要因となっている。
【０００７】
そこで、上記問題に対処できる様々な提案がすでに行われている（例えば、特許文献１〜３参照）。
【０００８】
特許文献１では、ヒートパイプを用いて蓄電機能を有する部分を外部から完全に隔離した構造が提案されている。
【０００９】
特許文献２では、ユニット電池を直接冷却する場合に、ユニット電池への小動物の侵入防止する手段として、孔径が４ｍｍ〜８ｍｍの網を設置する技術が提案されている。
【００１０】
特許文献３の図１２では、燃料電池の燃焼排ガスやカソード排気ガスの排出経路を開閉できる開閉機構が設けられ、これらのガスの停止直後に当該経路を閉じることにより、昆虫や塵埃（異物）の燃料電池内部への侵入を防止できる構造が提案されている。また、特許文献３の図７では、排気ガスの排出経路が、換気ファンに案内されている構造が記載されている。
【先行技術文献】
【特許文献】
【００１１】
【特許文献１】特許第４１２３５４１号公報
【特許文献２】特開２００４−２７３４２８号公報
【特許文献３】特開２００６−１２８１３８号公報
【発明の概要】
【発明が解決しようとする課題】
【００１２】
しかし、上記各従来例には、下記の問題がある。
【００１３】
特許文献１では、蓄電装置の構造が複雑になるので、蓄電装置の重量、コスト、および、エネルギ密度の点で改善すべき不備が多々ある。
【００１４】
特許文献２では、ある程度の大きさの小動物の侵入を防止できるが、小さな昆虫などの侵入防止には役立たない。
【００１５】
特許文献３では、換気装置の動作中に、換気装置の吸気口から侵入する生物の侵入防止には利用できない。
【００１６】
本発明は、このような事情に鑑みてなされたものであり、蓄電池の長期間に亘る屋外設置が、高い信頼性のもと、低コストで行える据え置き型蓄電装置を提供することを目的とする。
【課題を解決するための手段】
【００１７】
上記課題を解決するため、本発明は、複数の蓄電池が内部に配された筐体と、
前記筐体内の換気冷却に用い、正逆運転が可能な換気装置と、
前記筐体に形成され、前記換気装置の正運転によって前記筐体への空気流入に用いる吸気口と、
前記筐体に形成され、前記換気装置の正運転によって前記筐体からの空気流出に用いる排気口と、
前記空気流入の流路に配されて、空気の通過を許し、かつ、電力を印加できる給電機構と、
を備える据え置き型蓄電装置を提供する。
【００１８】
ここで、前記給電機構は、電撃柵または電撃網を備えてもよい。
【００１９】
これにより、給電機構の柵構造や網構造を用いて、蓄電装置内に小動物や昆虫などが侵入することを防止できる。
【００２０】
また、以上のとおり、給電機構の柵構造や網構造に、電撃機能が付与されている。よって、小動物や昆虫などを電撃によって給電機構の電撃柵や電撃網から退散させることができる（或いは、電撃柵や電撃網においてショック死させることができる）。これにより、電撃柵や電撃網に小動物や昆虫が巣を作るという不都合を回避できる。このため、換気装置による蓄電池の冷却性能を適切に維持できる。
【００２１】
また、本発明の蓄電装置では、前記給電機構において通電が行われた後、前記換気装置の逆運転により、前記吸気口において前記空気を排気してもよい。
【００２２】
これにより、給電機構の電撃柵や電撃網に付いた小動物や昆虫の死骸を吹き飛ばすことができる。よって、給電機構の電撃柵や電撃網周辺から小動物や昆虫の死骸を除去できる。その結果、電撃柵や電撃網において空気（冷気）の流れが阻害されずに済み、換気装置による蓄電池の冷却性能を適切に維持できる。
【００２３】
また、本発明の蓄電装置では、前記換気装置が逆運転する際に、前記排気口を開閉可能な蓋によって前記排気口を閉じてもよい。
【００２４】
これにより、排気口からの昆虫や塵埃などの侵入の可能性を減じることができる。
【００２５】
また、本発明の蓄電装置では、前記筐体内の温度を検知する温度検知器を備えてもよい。そして、前記温度検知器による検知温度に応じて、前記換気装置の出力を調整してもよい。
【００２６】
このような温度制御により、蓄電池の温度のきめ細かな調整を行えるので、蓄電池の寿命を延ばすことができる。
【００２７】
また、本発明の蓄電装置では、前記検知温度が設定温度以下の場合に、前記吸気口および前記排気口を開閉できる蓋によって前記吸気口および前記排気口の両方を閉じてもよい。
【００２８】
これにより、蓄電装置への外気の流入出を遮断し、蓄電池の自己発熱による蓄電装置内の温度上昇を促進できる。
【００２９】
また、本発明の蓄電装置では、前記電撃柵または前記電撃網は、隣接する一対の導電体を備えてもよい。そして、一対の導電体の間隔が、０．２ｍｍ以上、２ｍｍ以下であってもよい。
【００３０】
導電体の間隔が２ｍｍを超えると、小さな昆虫（例えば、蟻など）の侵入防止に支障がある。一方、導電体の間隔を０．２ｍｍ未満にすると、給電機構において空気流れの圧損が増大するので、好ましくない。
【発明の効果】
【００３１】
以上のとおり、本発明によれば、蓄電池の長期間に亘る屋外設置が高い信頼性のもと、低コストで行える据え置き型蓄電装置が得られる。
【図面の簡単な説明】
【００３２】
【図１】本発明の実施形態の据え置き型蓄電装置の構成例を模式的に示した概略図である。
【図２】本発明の実施形態の据え置き型蓄電装置に用いる給電機構の構成例を模式的に示した概略図である。
【図３】本発明の実施形態の据え置き型蓄電装置の動作例を示したフローチャート図である。
【発明を実施するための形態】
【００３３】
以下に、本発明の実施の形態を図面に基づいて説明する。
【００３４】
なお、全ての図面を通じて、同一ないし相当する構成要素には同じ参照番号を付し、以下、このような構成要素の重複的記載を省略する場合がある。
【００３５】
また、本発明は、以下の実施形態に限定されない。つまり、以下の具体的な説明は、本発明の「据え置き型蓄電装置」の特徴を例示しているに過ぎない。よって、本発明の「据え置き型蓄電装置」を特定した構成要素に対応する用語に適宜の参照符号を付して以下の具体例を説明する場合、当該具体的な装置は、これに対応する本発明の「据え置き型蓄電装置」の構成要素の一例である。
（実施形態）
図１は、本発明の実施形態の据え置き型蓄電装置の構成例を模式的に示した概略図である。
【００３６】
図１に示すように、据え置き型蓄電装置１００（以下、「蓄電装置１００」と略す場合がある）は、複数の蓄電池１０１（例えば、リチウムイオン電池）が配された蓄電領域１０２と、蓄電池１０１を屋外において適切に格納できる接地状態の直方形の外装体１１０（筐体）と、を備える。
【００３７】
なお、蓄電装置１００は、自然エネルギ（例えば、太陽光エネルギ）を電力に変換できるソーラーパネル（図示せず）を備えるとよい。これにより、ソーラーパネルで発電された電気を蓄電池１０１に充電することができる。そして、充電された蓄電池１０１は、必要に応じて、様々な用途（例えば、家庭の電気機器の電力源）に使用できる。
【００３８】
外装体１１０は、図１に示すように、筒状の外壁１１０Ａと、一対の内壁１１０Ｂ、１１０Ｃと、外壁１１０Ａの鉛直方向（紙面に垂直な方向）の両端を塞ぐ蓋部（図示せず）と、によって構成されている。
【００３９】
内壁１１０Ｂは、外壁１１０Ａの一方の端面Ｓ１と蓄電領域１０２との間に配されている。そして、この内壁１１０Ｂは、外壁１１０Ａの一方の側面Ｓ２から蓄電領域１０２に沿う方向に、外装体１１０内の途中まで形成された仕切り部材となっている。
【００４０】
一方、内壁１１０Ｃは、外壁１１０Ａの他方の端面Ｓ３と蓄電領域１０２との間に配されている。そして、この内壁１１０Ｃは、外壁１１０Ａの他方の側面Ｓ４から蓄電領域１０２に沿う方向に、外装体１１０内の途中まで形成された仕切り部材となっている。
【００４１】
また、外壁１１０Ａの端面Ｓ１の端部が、吸気口１０４を開閉できる吸気口蓋１０５を構成し、外壁１１０Ａの側面Ｓ２の端部が、この吸気口蓋１０５の受け部を構成している。
【００４２】
また、外壁１１０Ａの端面Ｓ３の端部が、排気口１０６を開閉できる排気口蓋１０７を構成し、外壁１１０Ａの側面Ｓ４の端部が、この排気口蓋１０７の受け部を構成している。
【００４３】
つまり、吸気口蓋１０５と、排気口蓋１０７と、は外装体１１０の対角線上に配されている。
【００４４】
以上により、図１に示すように、吸気口１０４を用いて外部（大気中）から蓄電領域１０２に空気を取り入れる吸気流路１０が、外壁１１０Ａの端面Ｓ１と内壁１１０Ｂとによって形成されている。また、排気口１０６を用いて蓄電領域１０２内から空気を外部に排出する排気流路１１が、外壁１１０Ａの端面Ｓ３と内壁１１０Ｃとによって形成されている。
【００４５】
また、図１に示すように、蓄電装置１００は、外装体１１０内の換気冷却に用い、正逆運転が可能な冷却ファン１０３（換気装置）を備える。
【００４６】
冷却ファン１０３は、吸気流路１０の延長線上の吸気流路１０の端部近傍に設けられている。これにより、冷却ファン１０３の正運転（順運転ともいう）の場合、図１の矢印に示すように、冷たい空気（外気）が、吸気口１０４を用いて吸気流路１０から強制的に蓄電領域１０２に流入する。また、この空気は、蓄電領域１０２内を横断し、排気流路１１を通った後、排気口１０６を用いて強制的に外部（大気中）に流出する。このようにして、冷却ファン１０３による蓄電池１０１の冷却がなされる。
【００４７】
なお、冷却ファン１０３の逆運転の場合、蓄電装置１００内の空気の流れは、図１の矢印と逆向きになるが、このような冷却ファン１０３の逆運転の技術的な意義は、蓄電装置１００の動作の説明において述べる。
【００４８】
また、図１に示すように、蓄電装置１００は、外装体１１０内の温度を検知する温度センサ１０９（熱電対やサーミスタなどの温度検知器）を備える。
【００４９】
本実施形態の蓄電装置１００では、温度センサ１０９が、排気流路１１の端部近傍にのみ１個、配されているが、これに限らない。蓄電装置１００内の温度を適切に検知できる箇所として、排気流路１１の端部付近が好適であると考えられるが、温度センサを他の箇所に設置してもよいし、複数個の温度センサを設置してもよい。
【００５０】
なお、蓄電装置１００の温度の制御上、各蓄電池１０１の表面のそれぞれの温度を検知することが理想的であるが、このような方策はコスト的に不利となるので、上記のとおり、温度センサ１０９を１個、排気流路１１の端部付近に配している。
【００５１】
また、図１に示すように、蓄電装置１００は、空気の通過を許し、かつ、電力を印加できる給電機構１０８を備える。
【００５２】
本実施形態の蓄電装置１００では、給電機構１０８は、吸気流路１０の適所（ここでは、吸気口１０４の近傍）に配され、小動物や昆虫の蓄電装置１００内への侵入を防ぐことができる柵構造となっている。
【００５３】
以上の給電機構１０８の柵構造によって、小動物や昆虫の蓄電装置１００内への侵入は防止できるはずであるが、このような柵に小動物や昆虫が巣を作ると、冷却ファン１０３による蓄電池１０１の冷却性能が劣化するという不都合がある。
【００５４】
そこで、本実施形態の蓄電装置１００では、給電機構１０８の柵構造に、電撃機能も付与している。
【００５５】
具体的には、図２に示すように、給電機構１０８は、絶縁性の複数の柵棒２０、２１に、直径Ｌ１の導電性の柵線２２、２３（導電体）の対を、一定の間隔Ｌ２を隔てて並行に張り巡らした電撃柵を備える。なお、柵線（導電体）の数は一対（２本）に限らず、３本以上でもよい。そして、隣接する柵線２２、２３の対の一方に直流電源４０の高電圧を印加し、その他方に、直流電源４０の基準電圧（ここでは、アース）を印加するとよい。このような給電機構１０８では、柵線２２、２３同士は、互いに絶縁されているので、通常の状態では、両者間に電流は流れない。
【００５６】
この状態において、小動物や昆虫が吸気流路１０から蓄電装置１００内に侵入しようとするときに、これらの小動物や昆虫が柵線２２、２３の両方に同時に触れると、その瞬間は、柵線２２、２３間の絶縁性が、これらの小動物や昆虫の生体インピーダンスによって破られる。このため、直流電源４０による電圧に基づいて、柵線２２、２３に触れた小動物や昆虫の生体内に電流が走り、これらの小動物や昆虫に電撃を与えることができる。
【００５７】
このように、本実施形態の給電機構１０８の電撃柵では、小動物や昆虫が柵線２２、２３に触れた瞬間のみ、両者間に電流が流れるので、直流電源４０の電流量が少なくて済み都合がよい。
【００５８】
そして、本実施形態の蓄電装置１００では、小動物や昆虫を電撃によって給電機構１０８の電撃柵から退散させることができる（或いは、電撃柵においてショック死させることができる）。これにより、電撃柵に小動物や昆虫が巣を作るという不都合を回避できる。よって、冷却ファン１０３による蓄電池１０１の冷却性能を適切に維持できる。
【００５９】
なお、ここでは、柵線２２、２３の直径Ｌ１を１ｍｍとし、隣接する柵線２２、２３の間隔Ｌ２を、０．２ｍｍ以上、２ｍｍ以下とした。
【００６０】
柵線２２、２３の間隔Ｌ２が２ｍｍを超えると、小さな昆虫（例えば、蟻など）の侵入防止に支障がある。
【００６１】
一方、柵線２２、２３の間隔Ｌ２を０．２ｍｍ未満にすると、給電機構１０８において空気流れの圧損が増大するので、好ましくない。
【００６２】
また、給電機構１０８は、電撃柵に限らず、導電性の配線（導電体）を網目状に張り巡らせた電撃網を備えてもよい。なお、この場合も、導電体の間隔は、０．２ｍｍ以上、２ｍｍ以下にする方が、以上の理由により好ましい。
【００６３】
また、給電機構１０８に電力を印加する直流電源４０として、蓄電池１０１を用いるとよい。これにより、給電機構１０８の電力源を安価に組み込めるという利点がある。特に、蓄電池１０１は、自然エネルギの発電力（例えば、ソーラーパネルでの発電力）を充電する機能を有しているので、電池切れを起こし難く、ＡＣ電源供給のない屋外に設置された給電機構１０８の電力源としてメンテナンス性に優れている。
【００６４】
なお、本実施形態の蓄電装置１００では、図１に示すように、空気の通過を許し、かつ、小動物や昆虫の侵入を防止できる侵入防止機構１１１が、排気流路１１の適所（ここでは、排気口１０６の近傍）に配されている。この侵入防止機構１１１（例えば、侵入防止網）についても、上述の給電機構１０８と同じ構成にすることもできるが、空気排出側に置かれるものであり、昆虫や塵埃が排気流路１１に入り込む可能性が殆どないので、必ずしも電撃機能を付与しなくてもよい。
【００６５】
また、図１に示すように、蓄電装置１００は、制御部３０を備える。
【００６６】
制御部３０は、ＣＰＵやメモリなどを備え、蓄電装置１００の各種の検知器の信号に基づいて蓄電装置１００の各種の制御対象機器の動作を制御する。なお、制御部３０は、蓄電池１０１とは異なり、必ずしも冷却の必要がないので、外装体１１０内に限らず、外装体１１０外に配してもよい。
【００６７】
次に、本発明の実施形態の蓄電装置１００の動作例を説明する。
【００６８】
図３は、本発明の実施形態の据え置き型蓄電装置の動作例を示したフローチャート図である。
【００６９】
図３に示した各動作フローは、予めプログラムされて、予め設定された設定温度「Ｔ」、設定回数「Ｎ」とともに、制御部３０のメモリに記憶されている。
【００７０】
なお、ここで、設定温度「Ｔ」は、蓄電池１０１の性能を適切に維持できるよう、冷却ファン１０３の動作開始の判定に用いられる蓄電装置１００内の雰囲気の基準温度（閾値温度）であり、蓄電池１０１の構成や種類などによって適宜設定されている。また、設定回数「Ｎ」は、給電機構１０８の電撃柵に付いた小動物や昆虫の死骸除去モードに入るか否かの判定に用いられる給電機構１０８による電撃の作動のトータル回数の基準値であり、給電機構１０８の構成や種類などによって適宜設定されている。
【００７１】
制御部３０のＣＰＵからの指令に基づいて、上記プログラム、上記設定温度「Ｔ」、および、上記設定回数「Ｎ」が蓄電装置１００の起動時に、制御部３０のＣＰＵに読み出され、このプログラムが、以下の動作を蓄電装置１００の各部を制御しながら実行する。なお、蓄電装置１００の停止時には、吸気口蓋１０５および排気口蓋１０７の両方とも閉まっている。
【００７２】
蓄電装置１００が起動すると、温度センサ１０９における検知温度が、設定温度「Ｔ」以上であるか否かが判定される（ステップＳ１１）。
【００７３】
温度センサ１０９における検知温度が、設定温度「Ｔ」以上の場合（ステップＳ１１において「Ｙｅｓ」の場合）、蓄電装置１００内の蓄電池１０１の冷却が以下のとおり開始される。
【００７４】
蓄電池１０１の冷却動作として、吸気口蓋１０５の開放（ステップＳ１２）および冷却ファン１０３の正運転（ステップＳ１３）の後に、排気口蓋１０７の開放（ステップＳ１４）を行うことが好ましい。但し、このとき、ステップＳ１２とステップＳ１３の順序は入れ替わってもよい。
【００７５】
以上により、冷却ファン１０３の正運転状態において、排気口蓋１０７が開放される。よって、排気口蓋１０７の開放と同時に、直ちに排気口１０６から空気が排気されるので、排気口１０６からの昆虫や塵埃の侵入の可能性を減じることができる。
【００７６】
ここで、ステップＳ１２〜ステップＳ１４の蓄電装置１００の冷却動作中において、給電機構１０８による電撃が作動したか否かが判定される（ステップＳ１５）。つまり、給電機構１０８による電撃作動時は、小動物や昆虫の、柵線２２、２３（図２参照）への接触に基づいた給電機構１０８の通電時に対応するので、制御部３０は、適宜の電流計（図示せず）を用いて給電機構１０８の電撃作動の有無およびその作動回数を検知できる。
【００７７】
給電機構１０８の電撃が作動しなかったと判定された場合（ステップＳ１５において「Ｎｏ」の場合）、ステップＳ１１に戻り、ステップＳ１１以降の動作が繰り返される。
【００７８】
一方、給電機構１０８の電撃が作動したと判定された場合（ステップＳ１５において「Ｙｅｓ」の場合）、電撃の作動回数の累積値がカウントされる（ステップＳ１６）。つまり、前回までの電撃の作動回数の累積値に、今回の作動回数が足し算される。
【００７９】
次いで、電撃の作動回数の累積値が、設定回数「Ｎ」以上か否かが判定される（ステップＳ１７）。
【００８０】
電撃の作動回数の累積値が、設定回数「Ｎ」未満の場合（ステップＳ１７において「Ｎｏ」の場合）、電撃作動によってショック死する小動物数や昆虫数がそれ程多くないと考えられる。よって、この場合、給電機構１０８の電撃柵に付いた小動物や昆虫の死骸除去モードに入る必要はないと判断され、ステップＳ１１に戻り、ステップＳ１１以降の動作が繰り返される。
【００８１】
一方、電撃の作動回数の累積値が、設定回数「Ｎ」以上の場合（ステップＳ１７において「Ｙｅｓ」の場合）、電撃作動によってショック死する小動物数や昆虫数が多いと考えられる。よって、この場合、以下に述べる給電機構１０８の電撃柵に付いた小動物や昆虫の死骸除去モードに入る。
【００８２】
小動物や昆虫の死骸除去モードでは、冷却ファン１０３を一時的に逆運転にする。すると、吸気流路１０内の空気の流れを一時的に逆向きにできるので、吸気口１０４において空気の排気がなされ、給電機構１０８に電撃柵に付いた小動物や昆虫の死骸を吹き飛ばすことができる。これにより、給電機構１０８の電撃柵周辺から小動物や昆虫の死骸を除去できる。その結果、電撃柵において空気（冷気）の流れが阻害されずに済み、冷却ファン１０３による蓄電池１０１の冷却性能を適切に維持できる。
【００８３】
小動物や昆虫の死骸除去モードのステップとして、排気口蓋１０７の閉鎖（ステップＳ１８）、冷却ファン１０３の逆運転（ステップＳ１９）の順に行うことが好ましい。
【００８４】
これにより、冷却ファン１０３の逆運転中における排気口１０６からの昆虫等の侵入を適切に防止できる。
【００８５】
なお、このような小動物や昆虫の死骸除去モードでは、蓄電装置１００に空気を流入する箇所が存在しないが、当該死骸除去モードの動作期間は、電撃柵に付いた小動物や昆虫の死骸吹き飛しに必要な程度の短時間でよいので、蓄電装置１００の構造上、障害を与えないと考えられる。
【００８６】
小動物や昆虫の死骸を除去した後、冷却ファン１０３を正運転に戻し（ステップＳ２０）、排気口蓋１０７を再び開放する（ステップＳ２１）。なお、冷却ファン１０３の正運転時には排気口１０６からは空気を排出しているので、ここから昆虫や塵埃が入り込む可能性は殆どない。
【００８７】
次いで、電撃の作動回数の累積値をゼロにして（ステップＳ２２）、ステップＳ１１に戻り、ステップＳ１１以降の動作が繰り返される。
【００８８】
このようにして、本実施形態の蓄電装置１００では、電撃柵において空気（冷気）の流れの阻害要因（小動物や昆虫の死骸の電撃柵への付着）を解消した状態で、冷却ファン１０３による蓄電池１０１の冷却を行うことができる。
【００８９】
一方、ステップＳ１１において、温度センサ１０９における検知温度が、設定温度「Ｔ」未満の場合、次の判定ステップに進み、吸気口蓋１０５および排気口蓋１０７が開放されているか否かが判定される（ステップＳ２３）。なお、吸気口蓋１０５および排気口蓋１０７の開閉は、これらの蓋１０５、１０７に適宜のセンサを取り付けて容易に検知できる。
【００９０】
吸気口蓋１０５および排気口蓋１０７が閉鎖状態の場合（ステップＳ２３において「Ｎｏ」の場合）、冷却ファン１０３による蓄電池１０１の冷却動作は行われていないと考えられる。よって、ステップＳ２７において、蓄電装置１００の停止操作がなされていない限り（ステップＳ２７において「Ｎｏ」の場合）、そのままの状態を維持する（つまり、ステップＳ１１に戻り、ステップＳ１１以降の動作が繰り返される）。
【００９１】
逆に、吸気口蓋１０５および排気口蓋１０７が開放状態の場合（ステップＳ２３において「Ｙｅｓ」の場合）、これらの蓋１０５、１０７を閉め（ステップＳ２４、ステップＳ２５）、冷却ファン１０３を停止する（ステップＳ２６）。そして、ステップＳ２７において、蓄電装置１００の停止操作がなされていない限り（ステップＳ２７において「Ｎｏ」の場合）、この状態を維持する（つまり、ステップＳ１１に戻り、ステップＳ１１以降の動作が繰り返される）。
【００９２】
このようにして、温度センサ１０９における検知温度が、設定温度「Ｔ」未満の場合に、蓄電装置１００への外気の流入出を遮断する。これにより、蓄電池１０１の自己発熱による蓄電装置１００内の温度上昇を促進できる。
【００９３】
なお、蓄電装置１００の停止操作がなされた場合（ステップＳ２７において「Ｙｅｓ」）、蓄電装置１００の一連の動作を終了する。
【００９４】
以上のとおり、本実施形態の蓄電装置１００では、給電機構１０８の柵構造によって、蓄電装置１００内に小動物や昆虫が侵入することを防止できる。
【００９５】
また、本実施形態の蓄電装置１００では、給電機構１０８の柵構造に、電撃機能を付与している。よって、小動物や昆虫を電撃によって給電機構１０８の電撃柵から退散させることができる（或いは、電撃柵においてショック死させることができる）。これにより、電撃柵に小動物や昆虫が巣を作るという不都合を回避できる。このため、冷却ファン１０３による蓄電池１０１の冷却性能を適切に維持できる。
【００９６】
また、本実施形態の蓄電装置１００では、給電機構１０８の電撃柵に付いた小動物や昆虫の死骸除去モードにおいて、給電機構１０８の電撃柵に付いた小動物や昆虫の死骸を吹き飛ばすことができる。よって、給電機構１０８の電撃柵周辺から小動物や昆虫の死骸を除去できる。その結果、電撃柵において空気（冷気）の流れが阻害されずに済み、冷却ファン１０３による蓄電池１０１の冷却性能を適切に維持できる。
【００９７】
また、本実施形態の蓄電装置１００では、温度センサ１０９による検知温度に応じて、冷却ファン１０３の出力を調整することもできる。
【００９８】
このような温度制御により、蓄電池１０１の温度のきめ細かな調整を行えるので、蓄電池１０１の寿命を延ばすことができる。
【産業上の利用可能性】
【００９９】
本発明によれば、蓄電池の長期間に亘る屋外設置が高い信頼性のもと、低コストで行える。よって、本発明は、据え置き型蓄電装置に利用できる。
【符号の説明】
【０１００】
１０  吸気流路
１１  排気流路
２０、２１  柵棒
２２、２３  柵線
３０  制御部
４０  直流電源
１００  蓄電装置
１０１  蓄電池
１０２  蓄電領域
１０３  冷却ファン（換気装置）
１０４  吸気口
１０５  吸気口蓋
１０６  排気口
１０７  排気口蓋
１０８  給電機構（電撃柵）
１０９  温度センサ
１１０  外装体
１１０Ａ  外壁
１１０Ｂ、１１０Ｃ  内壁
Ｓ１、Ｓ３  外装体の端面
Ｓ２、Ｓ４  外装体の側面
１１１  侵入防止機構（侵入防止網）
【図１】
2011249081.tif 000003
【図２】
2011249081.tif 000004
【図３】
2011249081.tif 000005